(57)【特許請求の範囲】
【請求項１】
複数配置ブームノーズ部が支持構造（１２）を含み、支持構造（１２）はブーム（１０）の末端部に配置され、少なくとも第１のシーブセット（１６）を支持し、上記第１のシーブセット（１６）は少なくとも１つのシーブを含み、
上記複数配置ブームノーズ部は第１と第２の端部を備えるピボットアーム（１８）をも含み、上記第１の端部は上記支持構造（１２）にピボット旋回するように接続され、上記第２の端部は第２のシーブセット（２４）を支持し、上記第２のシーブセット（２４）は少なくとも１つのシーブを含み、
上記ピボットアーム（１８）は少なくとも第１の動作位置と収容位置とを備え、上記ピボットアーム（１８）の上記第２の端部が上記収容位置では上記ブーム（１０）の基部に近い端部の方向に伸び、
上記ピボットアームが上記収容位置内にあるとき、第２のシーブセットは上記ブームの内部に含まれる、
複数配置ブームノーズ部。
【請求項２】
上記ピボットアーム（１８）が上記第１の動作位置では上記ブーム（１０）に垂直に伸びている、請求項１のブームノーズ部。
【請求項３】
上記支持構造（１２）が、内部に形成される第１と第２のホール（３２、３４）を含み、
上記ピボットアーム（１８）が、内部に形成される第３のホール（３７）を含み、
上記ピボットアーム（１８）がさらにロッキングピン（３８）を含み、ロッキングピン（３８）は、上記収容位置では上記ピボットアーム（１８）を固定するために上記第１と第３のホール（３２、３７）内に配置され、上記第１の動作位置では上記ピボットアーム（１８）を固定するために上記第２と第３のホール（３４、３７）内に配置される、請求項１のブームノーズ部。
【請求項４】
第１の荷重ベアリング手段（２８）が第１のラインを介して上記第１のシーブセット（１６）により支持され、第２の荷重ベアリング手段（４２）が第２のラインを介して上記第２のシーブセット（２４）により支持される、第２の動作位置を、上記ピボットアーム（１８）が備える、請求項１のブームノーズ部。
【請求項５】
上記ピボットアーム（１８）が上記第２の動作位置では上記ブームの上記の基部に近い端部から離れて伸びている、請求項４のブームノーズ部。
【請求項６】
上記ピボットアーム（１８）が上記第１の動作位置では上記ブーム（１０）に垂直に伸びている、請求項５のブームノーズ部。
【請求項７】
上記支持構造（１２）が、内部に形成される第１、第２及び第３のホール（３２、３４、３６）を含み、
上記ピボットアーム（１８）が、内部に形成される第４のホール（３７）を含み、
上記ピボットアーム（１８）がさらにロッキングピン（３８）を含み、ロッキングピン（３８）は、上記収容位置では上記ピボットアーム（１８）を固定するために上記第１と第４のホール（３２、３７）内に配置され、上記第１の動作位置では上記ピボットアーム（１８）を固定するために上記第２と第４のホール（３４、３７）内に配置され、そして上記第２の動作位置では上記ピボットアーム（１８）を固定するために上記第３と第４のホール（３６、３７）内に配置される、請求項４のブームノーズ部。
【請求項８】
上記ピボットアーム（１８）が上記第１の動作位置では上記ブーム（１０）に垂直に伸びている、請求項３のブームノーズ部。
【発明の詳細な説明】
【０００１】
【発明の属する技術分野】
本発明はブームのノーズ部（突出部）に関する。特に、複数配置コンパクトブームノーズ部に関する。
【０００２】
【関連技術の説明】
ブームのノーズ部は、複数の部分又は単一の部分からなり、一般的に、シャフトに装着される１つ又はそれ以上のシーブ（滑車）のための支持部を収容した溶接鋼構造であり、ブームの先端付近でリフトライン即ち荷重ラインを荷重に方向転換するために用いられる。ブームノーズ部のシーブは１本のシャフトの或る場所に装着されるが、上方シーブアセンブリと下方シーブアセンブリがあることがしばしばである。上方即ち主要シーブは、ブームの端部付近で、荷重即ちリフトラインを、下方即ち補助シーブアセンブリ（即ち、下方ブームノーズ部シーブ、補助ブームノーズ部シーブ、ブーム伸展シーブ）に導く。１本又は２本のライン部分構成の許容限界より大きい荷重を引き上げるときに要求される多数本のライン部分構成を、適応させるためには、補助シープアセンブリが必要である。２本のライン部分構成の許容限界を超える荷重を引き上げないのならば、１つのシーブの配置で十分である。
【０００３】
多数本のライン部分構成が要求されるときは、フックブロックが荷重を引き上げるために用いられる。フックブロックは、１つ又はそれ以上のシーブで構成され、荷重をつかむために利用される端部のフックと共に鉄鋼ハウジングに封じ込められる、引き上げデバイスである。２本のライン部分構成に対しては、ワイヤロープはブームノーズ部の下方シーブを通過し、下方のフックブロックシーブ付近まで伸び、ワイヤロープが終端ラグに固定されるブームノーズ部に再び戻らなければならない。３本又はより多数本のライン部分構成に対しては、適当な数の下方ブームノーズ部シーブとフックブロックシーブが要求され、複数本のライン部分構成の最後にたどり着くまで２部位のシーブの間を荷重ラインが上に下に通される。
【０００４】
高いブームアングルにて複数本のライン部分構成を利用して荷重を引き上げる場合は、フックブロックから下方ブームノーズ部シーブへの戻りラインはブームセクションの底部を越えなければならない。このことにより、ブームノーズ部がブームの底部より下方に伸びて下方ブームノーズ部シーブを必要な位置に置くよう調整することが要求される。このように、ブームノーズ部の全体高さは、荷重が引き上げられる高さをブームノーズ部が低くしてしまうので、望ましいものより大きくなる。
【０００５】
接近動作が制限される制限領域にて荷重を引き上げる場合コンパクトブームノーズ部は重要な特徴である。しかしながら、最大引き上げ能力において妥協しないこともまた、望ましい。
【０００６】
【発明の概要】
本発明の目的は、上述の問題点や不都合を克服する、複数配置ブームノーズ部を供給することである。
【０００７】
本発明のさらなる目的は、コンパクトブームノーズ部を供給することである。
【０００８】
その上さらなる本発明の目的は、主要と補助のシーブセットを備えしかも補助シーブセットが収容可能である、複数配置コンパクトブームノーズ部を供給することである。
【０００９】
本発明の別の目的は、コンパクトで、しかもリフテイング能力を最大にするブームノーズ部を供給することである。
【００１０】
主要と補助のシーブセットを備え、しかも主要と補助のシーブセットの両方が夫々荷重ベアリング部位を支持し得るように補助シーブセットが配置され得る、複数配置コンパクトブームノーズ部を供給することも、本発明の目的である。
【００１１】
これらと他の目的物は、複数配置ブームノーズ部が供給する。複数配置ブームノーズ部は支持構造を含む。支持構造はブームの１端部に配置され、少なくとも第１のシーブセットを支持する。上記第１のシーブセットは少なくとも１つのシーブを含む。複数配置ブームノーズ部はピボットアームをも含む。ピボットアームは第１と第２の端部を備える。上記第１の端部は上記支持構造にピボット旋回するように接続される。上記第２の端部は第２のシーブセットを支持する。上記第２のシーブセットは少なくとも１つのシーブを含む。上記ピボットアームは少なくとも第１の動作位置と収容位置とを備える。上記ピボットアームは上記収容位置では上記ブームの方向に伸びている。更に、上記ピボットアームが上記収容位置内にあるとき、第２のシーブセットは上記ブームの内部に含まれる。
【００１２】
これらと他の目的物は、複数配置ブームノーズ部がさらに供給する。複数配置ブームノーズ部は支持構造を含む。支持構造はブームの１端部に配置され、少なくとも第１のシーブセットを支持する。上記第１のシーブセットは少なくとも１つのシーブを含む。複数配置ブームノーズ部は荷重を運ぶための第１の荷重ベアリング手段をも含む。複数配置ブームノーズ部は荷重を運ぶための第２の荷重ベアリング手段をも含む。複数配置ブームノーズ部はピボットアームをも含む。ピボットアームは第１と第２の端部を備える。上記第１の端部は上記支持構造にピボット旋回するように接続される。上記第２の端部は第２のシーブセットを支持する。上記第２のシーブセットは少なくとも１つのシーブを含む。上記ピボットアームは少なくとも第１の動作位置と第２の動作位置とを備える。上記第１の荷重ベアリング手段は上記第１のシーブセットにより支持され、上記ピボットアームが上記第２の動作位置にあるときは上記第２の荷重ベアリング手段が上記第２のシーブセットにより支持される。
【００１３】
本発明の他の目的、特徴、特性、構成の関連要素に関する方法、操作、機能、パーツの組み合わせ、そして製造経済は、符号が種々の図において対応する部分を示すように、その全てがこの明細書の部分を形成する以下の好ましい実施形態の詳細な説明や添付の図面から明白である。
【００１４】
【発明の実施の形態】
図１Ａ、１Ｂは、それぞれ、全ブームノーズ部構成にある本発明に係るブームノーズ部の実施形態の、側面図と端部図を示す。図１Ａ、１Ｂに示されるように、ブームノーズ部１２は複数セクションブーム１０の端部に配置される。ブームノーズ部１２は、第１のシャフト１４上で主要シーブセット１６を支持するための支持構造である。ブームノーズ部１２は、第１のシャフト１４上にてピボットアーム１８をも支持する。
【００１５】
図１Ｂに示されるように、ピボットアーム１８は、２枚の平行プレート２０と第２のシャフト２２とから形成される。ピボットアーム１８は第２のシャフト２２上にて補助シーブセット２４を支持する。主要シーブセット１６と補助シーブセット２４の各々は、少なくとも１つのシーブを含む。図１Ｂに示されるように、ここで例示されている本発明に係るブームノーズ部の実施形態は、主要シーブセット１６では１つのシーブを、補助シーブセット２４では２つのシーブを、含んでいる。
【００１６】
ホイスト（図示せず。）に接続されるホイスト荷重ライン２６は、主要と補助のシーブセット１６、２４とフックブロック２８とに沿って通されている。荷重ライン２６の終端は、終端ラグ３０によりブームノーズ部１２に固定される。
【００１７】
前に説明したように、ピボットアーム１８は、第１のシャフト１４にてブームノーズ部１２にピボット旋回するように接続されている。従って、第１のシャフト１４の周りでピボットアーム１８をピボット旋回することにより、補助シーブセット２４は複数位置のうちの１位置に配置され得る。さらに図１Ａに示されるように、ブームノーズ部１２は、下部右手角に形成されている第１の装着ホール３２と、下部左手角に形成されている第２の装着ホール３４と、上部左手角に形成されている第３の装着ホール３６とを、含む。ピボットアーム１８は、内部に形成されている第４の装着ホール３７も含む。図１Ａに示されるように、第４の装着ホール３７と第２の装着ホール３４の中にロッキングピン３８を配置することにより、ピボットアーム１８はブーム１０に対し垂直に固定される。この位置を、全ブームノーズ部構成という。
【００１８】
全ブームノーズ部構成は、３本又はより多数本のライン部分構成を必要とする荷重を持ち上げるのに用いられる。さらに、全ブームノーズ部構成は、コンパクトブームノーズ部が必要でない場合にいつでも用いることができる。
【００１９】
ピボットアーム１８を上方にピボットし第４の装着ホール３７と第３の装着ホール３６の中にロッキングピン３８を配置することにより、ピボットアーム１８は、ピボットアーム１８がブーム１０から離れて伸びるように、固定され得る。補助ブームノーズ部構成と呼ぶこの位置においては、ピボットアーム１８はブーム１０と鈍角を形成する。
【００２０】
図２Ａ、２Ｂは、それぞれ、補助ブームノーズ部構成にある本発明に係るブームノーズ部の実施形態の、側面図と端部図を示す。図２Ａ、２Ｂに示されるように、補助ブームノーズ部構成では、主要ホイスト（図示せず。）に接続される主要ホイスト荷重ライン４６は、主要シーブセット１６とフックブロック２８の周りを通されている。主要ホイスト荷重ライン４６の終端は、終端ラグ３０を用いてブームノーズ部１２に固定される。さらに、補助ホイスト（図示せず。）に接続される補助ホイスト荷重ライン４０は、主要シーブセット１６と補助シーブセット２４の両方の上を通されている。補助ホイスト荷重ライン４０の終端は、ヘッドエイクボール４２に固定される。その結果、補助ブームノーズ部構成にあるときは、主要と補助のホイスト荷重ライン４６、４０の両方を同時に利用することができる。
【００２１】
さらに、補助ブームノーズ部構成に対しては第２のオプションがある。図３Ａ、３Ｂは、それぞれ、この第２のオプションの、側面図と端部図を示す。主要ホイスト荷重ライン４６を図１Ａ、１Ｂの全ブームノーズ部構成に通しておくと、ロッキングピン３８を引き抜き、補助ブームノーズ部構成の中にピボットアーム１８を回転させ、そしてロッキングピンを第４と第３の装着ホール３７、３６の中に取り付けることにより、補助ブームノーズ部構成への切替えが容易に成し遂げられ得る。このことにより付加的なブーム長が与えられ、ブームノーズ部高さが減るのであるが、これは主要ホイスト荷重ライン４６を再配置することなく成し遂げられ得る。
【００２２】
ブーム１０のフライセクションを部分的に伸ばすと、ピボットアーム１８は、ピボットアーム１８がブーム１０の方向に対して伸びている状態になるまで、ブーム１０方向に回転する。そして、ロッキングピン３８を第４の装着ホール３７と第１の装着ホール３２とに挿入することにより、ピボットアーム１８は、コンパクトブームノーズ部即ち収容ブームノーズ部構成と呼ばれる、この配置でロックされる。図４Ａ、４Ｂは、それぞれ、収容ブームノーズ部構成の、側面図と端部図を示す。図４Ａに示されるように、ブーム１０のフライセクションを収縮させると、補助シーブセット２４を取り付けてあるピボットアーム１８を、ブーム１０の中に伸ばすことになる。収容ブームノーズ部構成では、ホイスト荷重ライン２６は、主要シーブセット１６及びフックブロック２８上を通され、その端部は終端ラグ３０によりブームノーズ部１２に固定される。
【００２３】
１本又は２本のライン部分構成が荷重を持ち上げるために要求されており、限られた領域で動作するためブームの高度を増加させないで荷重の高度を増加させる能力があることが望ましい場合に、コンパクト即ち収容ブームノーズ部構成は、用いられ得る。
【００２４】
以上、本発明を説明したが、同発明は様々な形態に変動し得ることは明白である。そのようなバリエーションは、本発明の精神や範囲からの乖離であるとみなされるべきではなく、当業者には明白なそのような修正は全て、添付の請求項の範囲内に含まれるものである。
【図面の簡単な説明】
【図１Ａと図１Ｂ】全ブームノーズ部構成にある本発明に係るブームノーズ部の実施形態の、側面図と端部図をそれぞれ示す。
【図２Ａと図２Ｂ】補助ブームノーズ部構成にある本発明に係るもので、２つの荷重ベアリング部位を支持する、ブームノーズ部の実施形態の、側面図と端部図をそれぞれ示す。
【図３Ａと図３Ｂ】補助ブームノーズ部構成にある本発明に係るもので、１つの荷重ベアリング部位を支持する、ブームノーズ部の実施形態の、側面図と端部図をそれぞれ示す。
【図４Ａと図４Ｂ】コンパクト即ち収容ブームノーズ部構成にある本発明に係るブームノーズ部の実施形態の、側面図と端部図をそれぞれ示す。
【符号の説明】
１０・・・ブーム
１２・・・ブームノーズ部
１４・・・第１のシャフト
１６・・・主要シーブセット
１８・・・ピボットアーム
２０・・・平行プレート
２２・・・第２のシャフト
２４・・・補助シーブセット
２６・・・ホイスト荷重ライン
２８・・・フックブロック
３０・・・終端ラグ
３２・・・第１の装着ホール
３４・・・第２の装着ホール
３６・・・第３の装着ホール
３７・・・第４の装着ホール
３８・・・ロッキングピン
４０・・・補助ホイスト荷重ライン
４２・・・ヘッドエイクボール
４６・・・主要ホイスト荷重ライン
【図１Ａ】
0003581796.tif 000002
【図１Ｂ】
0003581796.tif 000003
【図２Ａ】
0003581796.tif 000004
【図２Ｂ】
0003581796.tif 000005
【図３Ａ】
0003581796.tif 000006
【図３Ｂ】
0003581796.tif 000007
【図４Ａ】
0003581796.tif 000008
【図４Ｂ】
0003581796.tif 000009